(57)【特許請求の範囲】
【請求項１】
正多角形の頂点（ａ）の反対側外周に頂点（ａ）と適合する角度の切欠部（ｂ）を形成した断面を備え、柱状又は棒状に形成した通直な組木部材（６）を、断面中心が略直線状に位置し且つ全体がパネルを形成するように上下方向に複数本整列させるとともに、隣接する一方の組木部材（６）の頂点（ａ）が、他方の組木部材（６）の切欠部（ｂ）に適合して押接されるように組み合わせて家屋の壁部（２）を構成したものにおいて、隣接する複数本の組木部材（６）の隣接面において一方の断面の頂点（ａ）が他方の断面の切欠部（ｂ）に適合するように、上記複数本の組木部材（６）を上下に一体的に重ね合わせて固定して梁状に形成し、相対応する上記壁部（２）間に架設することにより家屋の梁部材（２４）又はむな木（８）として利用するとともに、その上面側又は下面側には台形状又は逆台形状に切り揃えられ、上側又は下側の他の部材との連結固定を行う部分を山形に形成して設けたログハウス。
【請求項２】
パネル状に整列させた組木部材（６）を貫通するボルト等からなる緊締具（１３）を設け、パネル状部材を緊締することにより壁部（２）を一体構成した請求項１のログハウス。
【請求項３】
組木部材（６）が間伐材を正方形断面に製材加工した木材である請求項１又は２のログハウス。
【請求項４】
家壁の全外壁をパネル状の壁部（２）とし、隣接する壁部（２）の交差部において、２つの壁部の相対応する高さの組木部材（６）の一方又は両方に、互いに適合して嵌合し合うように交差用凹部（ｃ）を形成するとともに、上記交差部により隣接する外壁が互いに一体的に結合構成する構造とした請求項１乃至３のログハウス。
【請求項５】
隣接する複数本の組木部材（６）の隣接面において一方の断面の頂点（ａ）が他方の断面の切欠部（ｂ）に適合するように、上記複数本の組木部材（６）を上下に一体的に重ね合わせて固定することにより所定幅のパネル状部材とし、上記パネル状部材を家屋のむな木（８），もや（９），梁等の梁状の部材との間に介挿し、むな木（８）又はもや（９）及び梁又は梁状の部材とともに連結固定することにより、上記パネル状部材をつか（２７）として利用する請求項１乃至４のログハウス。
【請求項６】
壁部（２）の壁面に形成された隣接する組木部材（６）周面によって形成されたＶ字形の溝部に、該Ｖ字形の溝面と適合する傾斜面を備えた台形状又は二等辺三角形断面の棒状の壁面被覆材（３２）を収納固定し、該壁面被覆材（３２）により壁部（２）の凹凸面の一部又は全部を壁面方向に沿った平坦面に形成する請求項１乃至５のログハウス。
【請求項７】
平面視で所定の交差角をもって交差し又は平行に対面し合う２つの壁面間において、端面に各壁面の凹凸と適合し合うとともに、上記２つの壁面の凹凸に沿ってスライド可能に挿入できる端部構造を備えた架設部材（２９）を設けた請求項１乃至６のログハウス。
【発明の詳細な説明】
【０００１】
【発明の属する技術分野】
この発明は柱状の材木を組み合わせて建築するログハウスに関する。
【０００２】
【従来の技術】
従来柱状木材の組み合わせのみによって壁を含む木造家壁を造るログハウスでは、例えば丸太材の周面の一部を、隣接する丸太材の周面と適合し又は嵌合し合うように、円弧状の凹部を形成して壁部として積み重ねるものや、さらにこれを予め所定径の柱状丸太に切削形成しているもの、或いは丸太の隣接し合う周面を角型断面の凹凸に形成して該凹凸を重ね合わせる構造のものが知られている。
また同様に柱状角材の断面の一辺を互いに凹凸に形成してこれを重ね合わせることにより一体的な壁構造を形成する方法も知られている。
【０００３】
【発明が解決しようとする課題】
しかし上記従来の丸太材や角材の重ね合わせによるものは、先ず木材を円形断面に揃える旋盤加工やさらにその周面に円弧状断面の凹部を形成する切削加工が必要であり、角材の場合もその周面の一面に凹状の溝を付したり凸状を付したりする必要があるため、加工のための専用設備や多くの労力を必要とするという欠点がある。
【０００４】
また、杉，桧等の間伐材の利用もまだ十分でなく、大半は労力を掛けて間伐されているにもかかわらず未利用のまま放置されているのが現状である。
【０００５】
この発明はこれらの問題点を解消するために、木材加工のための専用の設備や特殊な加工のための多大な労力を必要としない角材を用い、特に杉，桧等の間伐材の有効利用を図り得るログハウスを提供せんとするものである。
【０００６】
【課題を解決するための手段】
上記課題を解消するための本発明のログハウスは、第１に正多角形の頂点ａの反対側外周に頂点ａと適合する角度の切欠部ｂを形成した断面を備え、柱状又は棒状に形成した通直な組木部材６を、断面中心が略直線状に位置し且つ全体がパネルを形成するように上下方向に複数本整列させるとともに、隣接する一方の組木部材６の頂点ａが、他方の組木部材６の切欠部ｂに適合して押接されるように組み合わせて家屋の壁部２を構成したものにおいて、隣接する複数本の組木部材６の隣接面において一方の断面の頂点ａが他方の断面の切欠部ｂに適合するように、上記複数本の組木部材６を上下に一体的に重ね合わせて固定して梁状に形成し、相対応する上記壁部２間に架設することにより家屋の梁部材２４又はむな木８として利用するとともに、その上面側又は下面側には台形状又は逆台形状に切り揃えられ、上側又は下側の他の部材との連結固定を行う部分を山形に形成して設けたことを特徴としている。
【０００７】
第２に、パネル状に整列させた組木部材６を貫通するボルト等からなる緊締具１３を設け、パネル状部材を緊締することにより壁部２を一体構成したことを特徴としている。
【０００８】
第３に、組木部材６が間伐材を正方形断面に製材加工した木材であることを特徴としている。
【０００９】
第４に、家壁の全外壁をパネル状の壁部２とし、隣接する壁部２の交差部において、２つの壁部の相対応する高さの組木部材６の一方又は両方に、互いに適合して嵌合し合うように交差用凹部ｃを形成するとともに、上記交差部により隣接する外壁が互いに一体的に結合構成する構造としたことを特徴としている。
【００１０】
第５に、隣接する複数本の組木部材６の隣接面において一方の断面の頂点ａが他方の断面の切欠部ｂに適合するように、上記複数本の組木部材６を上下に一体的に重ね合わせて固定することにより所定幅のパネル状部材とし、上記パネル状部材を家屋のむな木８，もや９，梁等の梁状の部材との間に介挿し、むな木８又はもや９及び梁又は梁状の部材とともに連結固定することにより、上記パネル状部材をつか２７として利用することを特徴としている。
【００１１】
第６に、壁部２の壁面に形成された隣接する組木部材６周面によって形成されたＶ字形の溝部に、該Ｖ字形の溝面と適合する傾斜面を備えた台形状又は二等辺三角形断面の棒状の壁面被覆材３２を収納固定し、該壁面被覆材３２により壁部２の凹凸面の一部又は全部を壁面方向に沿った平坦面に形成することを特徴としている。
【００１２】
第７に、平面視で所定の交差角をもって交差し又は平行に対面し合う２つの壁面間において、端面に各壁面の凹凸と適合し合うとともに、上記２つの壁面の凹凸に沿ってスライド可能に挿入できる端部構造を備えた架設部材２９を設けたことを特徴としている。
【００１３】
【発明の実施の形態】
図１〜図１０はこの発明の一実施形態を示し、この実施形態では、家屋１の壁部２は、図６（Ａ），（Ｂ）に示すように組立構成される。
【００１４】
即ち、家屋１は、コンクリート基礎３上に載置固定された土台４と、該土台４上においてこれと一体的に上下方向に積み重ね形成される壁部２によって支持されている。そして壁部２は例えば間伐材を製材加工した例えば１１７mm角の角材を組木部材６として用いる。
【００１５】
組木部材６は、正方形の頂点ａの反対側のコーナー部を例えば４０mmの正方形に切欠いて溝状の切欠部ｂとした柱状材を用い、該組木部材６の頂点ａが、その上方に隣接する他の組木部材６の切欠部ｂに適合して、互いに重なり合うように積み重ねてパネル状に整列させられる。
【００１６】
図６に示すように隣接壁部２同士が交差する交差部においては、各組木部材６の下面側に、互いに交差する他方の組木部材６の上面に沿って適合する交差用凹部ｃが切欠部として構成されている。この交差用凹部ｃの深さは、交差し合う壁部２において各組木部材６が、互いに同一位置（高さ）に揃うように、対角方向断面寸法の約１／２に形成されている。
【００１７】
そして交差する各隣接壁部２の最下段の組木部材６ａ，６ｂは、いずれも底面が土台４の上面に沿って密着するように平面をなし、共に頂点が直角な二等辺三角形又は左右対称な五角形断面を形成しており、上端がむな木８，もや９，軒桁１１，１２等に当接する場合は、むな木８等の下面に形成された９０°の逆Ｖ字形の溝状の切欠きｄに各組木部材６の頂点ａが適合して重なり合う構造になっている。
【００１８】
上記隣接して交差する壁部２の交差部と、壁部２内の所定間隔毎の位置には、土台４から前述したむな木８等を貫通するボルト１３等の緊締具が挿通され、全体として基礎３に一体固定される構造となっている。
【００１９】
家屋１の側壁部２ａの上端は図１に示すように屋根（野地板等）１４の内面と適合するように山形に傾斜勾配が付されており、その中央には窓孔１６が形成されている。
【００２０】
この窓孔１６には図８に示すようにサッシ枠１７が取り付けられ、この時、上端側の組木部材６の下端にはサッシ枠１７の上端面及び断面コーナー部を位置決めしながら当接せしめる切欠部ｂ′が形成されている。
【００２１】
下端側の組木部材６の上面側は直角な山形をなしているので、直角二等辺三角形断面のスペーサ１８を上記山形傾斜面の片面に沿わせて固定し、スペーサ１８の水平な上面にサッシ枠１７の下端面を載置して固定する。
【００２２】
また上面組木部材６の下面切欠部ｂ′とサッシ枠１７の上辺との間の楔状空間にも直角二等辺三角形状のスペーサ１９が適宜挿入されて、組木部材６と一体固定されている。これらのスペーサ１８，１９は窓孔１６に対し、サッシ枠１７と安定的に嵌合保持させるためのものである。
【００２３】
図２は家屋１の正面壁２ｂの構成を示すもので、左端に玄関入口２１がその右側に窓孔２２がそれぞれ形成され、それぞれ前述した要領でサッシ枠（図示しない）が取り付けられる。
【００２４】
また玄関入口２１の両側には補強壁２ｃが形成されている。該補強壁２ｃ間の前端部上方には、図１，図５に示すように補強用の軒桁１２とその下部において組木部材６により壁状に補強された補強げた２３が設けられている。
【００２５】
図３，図４はそれぞれＡ−Ａ断面，Ｂ−Ｂ断面を示し、この図に示すように家屋１の内部には、前後壁２ｂ，２ｄ及び屋根１４間を補強するために架設された前後方向の梁部材２４と、該梁部材２４と左右壁部２ａ，２ｅ及びむね木８，もや９，軒桁１１等の固定する中桁２６とが設けられている。
【００２６】
このうち梁部材２４は、図３に示すように壁部２と同様な方法により、多数の組木部材６を積み重ねてボルト等の緊締具１３でパネル状に一体的に緊締し、前後の壁部２ｂ，２ｄ上部間に架設したものである。組木部材６は最下部の数本からは順次台形段状に短くして全体を山形に形成するとともに、むね木８との連結は図４に示す中桁２６にて行い、もや９との連結固定は両者間において複数本の組木部材６をパネル状に重ねて緊締固定することにより、一般の木造建築における「つか」の機能をもたせるものである。このパネル状部材２７は、正面視において全体として逆台形状に切り揃えられる（図１１符号３４参照）。
【００２７】
他方、中桁２６は図２４に示すようにむね木８の下面側に複数本の組木部材６を上下方向に重ねて組み合わせ、パネル状に緊締したもので、その左右端は左右壁部２ａ，２ｅと交差して架設されるが、図示するように中段部分が軽量化のために欄干状に切欠かれた状態となっており、部分的に形成されたパネル状部材２６ａを介して連結されている。
【００２８】
図７は上記家屋１の間取り図を示し、床部２８には例えば組木部材６と同一断面の木材を１５〜３０mm高さに切断して木質タイルとし、図のように順次密着させて敷き詰めることによって床面を構成することができる。
【００２９】
図９は前述のように構成された壁部２，２の対向面間に架設される付属構造物を示す。上記壁面間には相対応した高さで同一形状の凸部又は凹部が形成されるので、この凸部又は凹部間に棚板等の架設部材２９を差し渡し、該架設部材２９の両端と壁部２，２間の凹凸部間に、当該両端部と壁面の凹凸とに同時に適合してスライド自在に嵌合する断面形状のジョイント部材３１を差し込む端部構造を形成することにより、棚板や梁又は桁を任意の位置に架設することができる。
【００３０】
図１０は壁部２の鋸歯状に形成されたＶ字形の凹面部（谷面）を、該谷面に沿った傾斜側面を有する台形断面の板状又は棒状部材からなる被覆材３２で固定的に覆い、壁面の一部を平坦面にするとともに、Ｖ字形の溝部の内部空間を電気コード３０等の配線スペース３７として利用し得る構造を示している。この構造は壁面を平坦面にして照明器具その他の備品（図示しない）の取付面として利用できる利点をもたらす。
【００３１】
図３に示す梁部材２４は、梁部材全体を正方形断面の組木部材６を用いて構成できる利点があるが、これに対してその家屋１の構造に適した材料がある場合は、図１の仮想線及び図１１に示すような構造の梁部材３３を設けることも可能である。
【００３２】
即ち、前後壁２ｂ，２ｄ間にはこれに適した形状の一木材料よりなる梁部材３３を前後方向に架設し、該梁部材３３とむね木８，もや９等との間には、図１１に示すような逆台形状に揃えられた組木部材６よりなるパネル状部材３４を一体的に緊締して介挿せしめている。この例ではむね木８と左右の壁部材２ａ，２ｅとの間にも同様なパネル状部材３６を付設交差させて補強を図っている。
【００３３】
【発明の効果】
以上のように構成される本発明のログハウスは、小径木を用いた主として正方形を中心とした正多角形断面の組木部材を用いて組み立てるので、小径木が中心の間伐材の有効利用を実現できるとともに、製材にも通常の帯鋸や丸鋸を中心とした製材設備のみで対応でき、製材方法も簡単であるため、低コストで製造容易な組木部材を得ることができる。
【００３４】
また壁部と同一の材料を梁状部材やつかとして利用できるので、構造材の大半又は全部を同一の組木部材で構成できるほか、壁面の凹凸の谷部を配線スペースとして利用できるとともに、壁面被覆部材により、壁面を平坦に構成することができるので、例えば外壁面や内壁面の一部又は全部を細径の部材を有効利用して平坦面に形成することができる利点がある。
【００３５】
さらに、建物内各所の壁面間の相対応する高さの凹凸を利用して、棚板や梁状部材をスライド着脱可能に架設することができる等の利便性を備えている。その他小径利用にもかかわらず、組木部材同士の嵌合と一体化により強固な構造の小径建築物が得易い等の効果がある。
【図面の簡単な説明】
【図１】  本発明のログハウスの側面図である。
【図２】  ログハウスの正面図である。
【図３】  図４，図７のＡ−Ａ断面図である。
【図４】  図３，図７のＢ−Ｂ断面図である。
【図５】  図７のＣ−Ｃ断面図である。
【図６】  （Ａ），（Ｂ）は壁部の交差部の分解斜視図と組立状態を斜視図である。
【図７】  本発明のログハウスの床平面図である。
【図８】  壁部に設けた窓部とサッシ枠取付例を示す断面図である。
【図９】  壁面間に架設した棚構造例を示す断面図である。
【図１０】  凹凸壁面の一部を覆う被覆構造と電気コード等の配線例を示す斜視図である。
【図１１】  ログハウスの異なる梁構造を示す正面図である。
【符号の説明】
２（２ａ〜２ｅ）  壁部
６    組木部材
８    むな木
９    もや
２９  架設部材
３２  壁面被覆材
ａ    頂点
ｂ    切欠部（凹部）
ｃ    交差用凹部
【図１】
0003734079.tif 000002
【図２】
0003734079.tif 000003
【図３】
0003734079.tif 000004
【図４】
0003734079.tif 000005
【図５】
0003734079.tif 000006
【図６】
0003734079.tif 000007
【図７】
0003734079.tif 000008
【図８】
0003734079.tif 000009
【図９】
0003734079.tif 000010
【図１０】
0003734079.tif 000011
【図１１】
0003734079.tif 000012